(57)【要約】【課題】大きく重量が重い長尺巻物を、広いスペースの確保や多大な労力を必要とせずに、容易に昇降、保管、管理可能な棚を提供する。【解決手段】支柱２と長手横材３と短手横材４からなるラック１の、該支柱２に沿って設けたガイドレール６を、ラック１の垂直面を移動する棚がラック１に沿って昇降する昇降機２０を備え、該昇降機２０は、ガイドレール６を摺動するラック１の垂直面を移動する棚に設けたローラ１７と、一端を該移動する棚と他方一端を巻取機２１に係止した昇降牽引部材と、ラック１に設けられたガイドローラからなる昇降機を備えたラック１とした。【選択図】図１
2019059578.tif 000002
【特許請求の範囲】
【請求項１】
支柱と長手横材と短手横材からなるラックの、該支柱に沿って設けたガイドレールを、ラックの垂直面を移動する棚がラックに沿って昇降する昇降機を備え、該昇降機は、ガイドレールを摺動するラックの垂直面を移動する棚に設けたローラと、一端を該移動する棚と他方一端を巻取機に係止した昇降牽引部材と、ラックに設けられたガイドローラからなることを特徴とする、昇降機を備えたラック。
【請求項２】
ラックはキャスターを設けた請求項１記載の昇降機を備えたラック。
【発明の詳細な説明】
【技術分野】
【０００１】
本発明は、昇降機を備えたラックに関するものである。
【背景技術】
【０００２】
中心部に中空の軸芯穴を有する形状に製造された幅広で長尺の壁紙等（以降、「長尺巻物」という）は、大きなサイズの巻物であるため重量が重く、搬入し保管や移動する作業に広いスペースの確保と多大な労力を必要とする。
【０００３】
そこで、下記特許文献１には、従来２人以上でないと移動のできなかった重量のあるロール状の被昇降物の荷積み、荷降ろし、搬送等を、一人で簡単かつ安全に行うことができるリフターが開示されている。
【０００４】
具体的にリフターは、図４、図５のとおり、キャスター１０８付の台車枠１０６に垂直の昇降ガイド枠を形成し、このガイド枠の正面に昇降枠１１９を介して支持枠１２２を取り付ける。このリフターにメディアａを載せる場合には、補助台車１４０のメディア受け１４８、１４９にメディアａを載せたのち、補助台車１４０をリフターに合体させてメディアａを載せ換えるものである。
【先行技術文献】
【特許文献】
【０００５】
【特許文献１】特開２００６−２３２５４８号公報（リフター）
【発明の概要】
【発明が解決しようとする課題】
【０００６】
しかし、前記特許文献１に記載されたリフターでは、２人以上でないと移動のできなかった重量のあるロール状の被昇降物の荷積み、荷降ろし、搬送等を、一人で行うことができるにとどまり、長尺巻物を保管することはできず、保管時は床に放置され広いスペースを必要とし、使用する際には床に放置されている数多くのものの中から必要なものを探し、リフターに積載するという手間と労力を必要としていた。
【０００７】
また、長尺巻物を保管可能な大きさのラックがある場合、リフターに積載して棚に収めるにはリフターの昇降可能な高さの範囲は通常１メートルから１．５メートル程度の範囲にとどまり、床から３メートルほどあるラックの棚には届かないため積載できず、ラックの床面積に比して効率的に保管することは難しいという問題があった。
【０００８】
本発明の目的は、大きく重量が重い長尺巻物を、広いスペースの確保や多大な労力を必要とせずに、容易に昇降、保管、管理可能な棚を提供することにある。
【課題を解決するための手段】
【０００９】
前記目的を達成するため、請求項１記載の本発明は、支柱と長手横材と短手横材からなるラックの、該支柱に沿って設けたガイドレールを、ラックの垂直面を移動する棚がラックに沿って昇降する昇降機を備え、該昇降機は、ガイドレールを摺動するラックの垂直面を移動する棚に設けたローラと、一端を該移動する棚と他方一端を巻取機に係止した昇降牽引部材と、ラックに設けられたガイドローラからなる昇降機を備えたラックとしたことを要旨とするものである。
【００１０】
請求項１記載の本発明によれば、大きく重量が重い長尺巻物を、移動する棚に転がして移動の後、移動する棚を任意の床板の位置に上昇して、床板の上に転がして保管することができるため、広いスペースの確保や多大な労力を必要とせずに長尺巻物を、容易に移動、保管、管理ができる。
【００１１】
請求項２記載の本発明は、ラックはキャスターを設けたことを要旨とするものである。
【００１２】
請求項２記載の本発明によれば、長尺巻物が搬入される位置や、ラックから長尺巻物を下す位置へ、ラックを移動させることができるため、長尺巻物の移動の手間と労力を最小限に抑えることができる。
【発明の効果】
【００１３】
以上述べたように本発明は、大きく重量が重い長尺巻物を、広いスペースの確保や多大な労力を必要とせずに、容易に昇降、保管、管理可能な棚を提供することができる。
【図面の簡単な説明】
【００１４】
【図１】本発明の昇降機を備えたラックの１実施形態を示す正面図である。
【図２】本発明の昇降機を備えたラックの１実施形態を示す平面図である。
【図３】本発明の昇降機を備えたラックの１実施形態を示す右側面図である。
【図４】従来の実施例を示す説明図である。
【図５】従来の実施例を示す説明図である。
【発明を実施するための形態】
【００１５】
以下本発明を実施するための形態について説明するが、本発明はこれに限定されたものでないことは、言うまでもない。
【００１６】
以下図面について本発明の昇降機を備えたラックの１の実施の形態を詳細に説明する。
【００１７】
図１は本発明の昇降機を備えたラックの１実施形態を示す正面図、図２は本発明の昇降機を備えたラックの１実施形態を示す平面図、図３は本発明の昇降機を備えたラックの１実施形態を示す右側面図であり、図中１は本発明の昇降機を備えたラックである。
【００１８】
本発明に係る昇降機を備えたラック１（以降「ラック」と称する）は、支柱２を横材で枠組まれたものであり、キャスター４０を設け移動可能とした。
【００１９】
横材の長さは任意であるが、本実施形態では一方を長手、他方を短手とし、それぞれ長手横材３、短手横材４とする。
【００２０】
支柱２に対し長手横材３と短手横材４で枠組まれた水平面には床板５を設置することができる。該水平面は、支柱２の下端部から上端部まで、複数設けることができる。
【００２１】
支柱２の垂直面に、ガイドレール６を、開口部を相対向して配置し固定する。ガイドレール６には、Ｃチャンネル等の部材を採用することができる。
【００２２】
ガイドレール６には、ラック１の垂直面を移動する棚（以降「移動棚」と称する）が、ガイドレール６とローラ１７を介して接合し、移動棚１０に係止した昇降牽引部材が巻取機２１の操作で伸長することにより、ローラ１７が自在に滑動することにより、支柱２の下端から上端まで昇降移動する。
【００２３】
移動棚１０は、複数の長材と短材１４で枠組まれたものである。長材は、上部横長材Ａ１１と上部横長材Ｂ１２と下部横長材１３からなり、上部横長材Ａ１１と上部横長材Ｂ１２との間に複数の短材１４を水平方向に設けた。また、上部横長材Ｂ１２と下部横長材１３との間に複数の短材１４を垂直方向に設けた。さらに、上部横長材Ａ１１と下部横長材１３との間に複数の短材１４を斜めに設けた。
【００２４】
移動棚１０の上部横長材Ａ１１と上部横長材Ｂ１２と水平方向に設けた短材１４で枠組まれた水平面に棚板１５を配し、上部横長材Ａ１１上部の棚板１５の辺に、凸部１６を設けた。
【００２５】
移動棚１０とガイドレール６との接続部となる上部横長材Ｂ１２と下部横長材１３の両端にローラ１７を設けた。
【００２６】
本実施形態では移動棚１０を、ラック１の長手横材３に面した垂直前面を昇降するように設けたが、垂直後面や垂直側面でもよい。
【００２７】
昇降機２０は、移動棚１０がラック１の垂直面をガイドレール６の下端から上端まで自在に昇降するように操作するものである。
【００２８】
昇降機２０は、昇降牽引部材とガイドローラと巻取機２１からなり、手動でも、動力を利用したものでもよい。本実施例では、巻取機２１の操作ハンドル２２を回転して昇降牽引部材を巻取ったり開放したりすることによりその長さを調整して、移動棚１０を昇降操作するものである。
【００２９】
巻取機２１は、ラック１の側面又は上面に設置することができ、本実施形態では短手横材４に面したラック１の右側面に配置した。巻取機２１には、ラチェット機構を設けて、移動棚１０が自重で落下することを防止した。
【００３０】
本実施形態では、ガイドローラＡ２５は移動棚１０の昇降牽引部材係止部Ａ１８上方のラック１左上部に、ガイドローラＢ２６は移動棚１０の昇降牽引部材係止部Ｂ１９上方のラック１右上部に、ガイドローラＣ２７はガイドローラＢ２６の左横でラック１の右上部に、ガイドローラＤ２８はガイドローラＣ２７の下部であって巻取機２１より下方に設置した。
【００３１】
昇降牽引部材Ａ２３は、その一端を昇降牽引部材係止部Ａ１８に係止し、他方の端を巻取機２１に係止する。昇降牽引部材Ａ２３は、昇降牽引部材係止部Ａ１８から上向してガイドローラＡ２５に架かりかけ、横行してガイドローラＣ２７に架かりかけた後、下降してガイドローラＤ２８にかかりかけた後に上向して、巻取機２１に架かりかける。
【００３２】
昇降牽引部材Ｂ２４は、その一端を昇降牽引部材係止部Ｂ１９に係止し、他方の端を巻取機２１に係止する。昇降牽引部材Ｂ２４は、昇降牽引部材係止部Ｂ１９から上向してガイドローラＢ２６に架かりかけ、横行してガイドローラＣ２７に架かりかけた後、下降してガイドローラＤ２８にかかりかけた後に上向して、巻取機２１に架かりかける。
【００３３】
昇降牽引部材Ａ２３および昇降牽引部材Ｂ２４は、移動棚１０の昇降が水平になる長さで、ガイドローラＣ２７の下部の纏め部２９でまとめる。纏め部２９からガイドローラＤ２８から巻取機２１に係止するまでの部分を一本の昇降牽引部材としてもよい。
【００３４】
昇降牽引部材は、ワイヤやチェーン等を採用できる。
【００３５】
本実施例では、ラック１にキャスター４０を配した。キャスター４０は、床に相対する支柱２の端や横材の任意の位置に４個以上複数設けてもよい。
【００３６】
次に、使用法及び動作について説明する。
【００３７】
本実施形態のラック１は、長尺巻物の効率的な保管をするために使用するものである。
【００３８】
まず、移動棚１０を最下位置に降ろし、床に置かれた長尺巻物を転がして移動棚１０の棚板１５の上に載せる。
【００３９】
棚板１５の上部横長材Ａ１１上部の辺に凸部１６を設けることにより、移動棚１０から長尺巻物が転がって床に滑り落ちることがない。
【００４０】
次に、巻取機２１の操作ハンドル２２で昇降牽引部材を巻取ることにより、移動棚１０の上部横長材Ｂ１２と下部横長材１３の両端に設けたローラ１７が、ガイドレール６の内部を摺動して、長尺巻物を収納するラック１の床板５と、移動棚１０の棚板１５が同じ高さになる位置に移動棚１０を固定する。
【００４１】
移動棚１０の横材の両端に設けたローラ１７が、ガイドレール６のＣチャンネル部材中を移動することにより、昇降時のブレを最小限に抑えて移動棚１０がラック１の垂直面を整然と移動できる。
【００４２】
本実施形態のように、ガイドローラＡ２５は移動棚１０の昇降牽引部材係止部Ａ１８上方のラック１の左上部に、ガイドローラＢ２６は移動棚１０の昇降牽引部材係止部Ｂ１９上方のラック１の右上部に、ガイドローラＣ２７はガイドローラＢ２６の左横でラック１の右上部に、ガイドローラＤ２８はガイドローラＣ２７の下部であって巻取機２１より下方の支柱２に設けたガイドローラ係止部３０に設置することにより、昇降牽引部材が相互に絡まず整然と移動棚１０を牽引して昇降することができる。
【００４３】
ガイドローラＣ２７の下部の纏め部２９があることにより、纏め部２９までの昇降牽引部材Ａ２３および昇降牽引部材Ｂ２４の長さが移動棚１０を水平に昇降させる長さで固定されることにより、同期して牽引される。
【００４４】
纏め部２９からガイドローラＤ２８から巻取機２１に係止するまでの部分を一本の昇降牽引部材とすることにより、巻取機２１での巻取が単一の昇降牽引部材となるため、巻取機２１の係止部から纏め部２９までの昇降牽引部材が絡まることがない。
【００４５】
巻取機２１はラチェット機構により反転することがないため、移動棚１０の位置は安定して固定される。
【００４６】
棚板１５上の長尺巻物を、床板５上に転がして、ラック１内部に収納保管する。
【００４７】
ラック１には、キャスター４０を設けることができる。これにより、長尺巻物が搬入される位置や、ラック１から長尺巻物を下す位置へ、ラック１を移動させることができるため、長尺巻物の搬入や搬出の手間と労力を最小限に抑えることができる。本実施形態では、ラック１下部四隅にキャスター４０を配置するため、長手横材３の両端にボルト７で固定した。
【産業上の利用可能性】
【００４８】
本発明の昇降機を備えたラック１は、大きく重量が重い長尺巻物を、広いスペースの確保や多大な労力を必要とせずに、容易に昇降、保管、管理ができる。
【符号の説明】
【００４９】
１    ラック
２    支柱
３    長手横材
４    短手横材
５    床板
６    ガイドレール
７    ボルト
１０  移動棚
１１  上部横長材Ａ
１２  上部横長材Ｂ
１３  下部横長材
１４  短材
１５  棚板
１６  凸部
１７  ローラ
１８  昇降牽引部材係止部Ａ
１９  昇降牽引部材係止部Ｂ
２０  昇降機
２１  巻取機
２２  操作ハンドル
２３  昇降牽引部材Ａ
２４  昇降牽引部材Ｂ
２５  ガイドローラＡ
２６  ガイドローラＢ
２７  ガイドローラＣ
２８  ガイドローラＤ
２９  纏め部
３０  ガイドローラ係止部
４０  キャスター
ａ      メディア
１０６  台車枠
１０８  キャスター
１１０  補助バー
１１２  キャスター
１１３  補助枠
１１４  固定板
１１５  ピン
１１９  昇降枠
１２１  フック
１２２  支持枠
１２６  メディア受け
１２７  メディア受け
１２９  握り
１３０  握り
１３１  ギャーボックス
１３２  ハンドル
１３３  出力スプロケット
１３５  チェーン
１４０  補助台車
１４１  水平バー
１４２  キャスター
１４３  キャスター
１４４  支持腕
１４５  支持腕
１４６  キャスター
１４７  キャスター
１４８  メディア受け
１４９  メディア受け
１５０  ガイド板
１５１  ガイド板
１５２  把手バー
【図１】
2019059578.tif 000003
【図２】
2019059578.tif 000004
【図３】
2019059578.tif 000005
【図４】
2019059578.tif 000006
【図５】
2019059578.tif 000007